(57)【要約】  本発明は、駆動モジュール（１０）と、中央開口（１３）を有する文字盤（１２）と、文字盤（１２）の中央開口（１３）に貫通するとともに駆動モジュール（１０）によって回転駆動される時筒（１４）と、文字盤取付装置と、を備えた計時器に関する。取付装置は、時筒（１４）の周りに配置されるとともに駆動モジュール（１０）に機械的に連結された保持筒（１５）を有する。保持筒（１５）は、文字盤（１２）または文字盤が取り付けられた文字盤支持体（１７）に対して当接するように構成される。【選択図】図１
2021507267.tif 000002
【特許請求の範囲】
【請求項１】
駆動モジュール（１０）と、中央開口（１３）を有する文字盤（１２）と、前記文字盤（１２）の前記中央開口（１３）に貫通するとともに前記駆動モジュール（１０）によって回転駆動される時筒（１４）と、前記文字盤を取り付けるための装置と、を備えた計時器であって、前記取付装置は、
前記時筒（１４）の周りに配置されるとともに前記駆動モジュール（１０）に機械的に連結された保持筒（１５）と、
前記保持筒（１５）と、前記文字盤（１２）および／または前記文字盤が取り付けられた文字盤支持体（１７）と、の間に配置された保持部材（２０ａ，２０ｂ，２０ｃ）と、を有することを特徴とする、計時器。
【請求項２】
前記保持部材（２０ａ，２０ｂ，２０ｃ）は、前記文字盤（１２）の前記中央開口（１３）に隣接した前記文字盤の部分および／または前記文字盤支持体（１７）に対して当接しつつ、前記保持筒（１５）と、前記文字盤（１２）および／または前記文字盤支持体（１７）と、の間に配置されることを特徴とする、請求項１に記載の計時器。
【請求項３】
前記文字盤（１２）の前記中央開口（１３）に隣接した前記文字盤部分は、前記文字盤（１２）の表面に対してセットバックした環状支持領域を画成しており、これにより、前記保持筒（１５）の上部の表面は、前記文字盤（１２）の前記表面と同じ高さになる、ことを特徴とする、請求項２に記載の計時器。
【請求項４】
前記保持筒（１５）は、第１の直径（Ｄ１）を有する第１の円筒部（１５ａ）と、前記第１の直径（Ｄ１）よりも小さい第２の直径（Ｄ２）を有する第２の円筒部（１５ｂ）と、を含むことと、
前記保持部材は、前記第２の円筒部（１５ｂ）の周囲に配置されたワッシャ（２０ａ）であり、前記文字盤（１２）または前記文字盤支持体（１７）に軸方向の力を付与するように、前記文字盤（１２）の前記環状領域または前記文字盤支持体（１６）に対して当接していること、を特徴とする、請求項２または３に記載の計時器。
【請求項５】
前記保持部材は、好ましくはサークリップ型の弾性リング（２０ｂ）であり、前記弾性リング（２０ｂ）は、前記文字盤（１２）の前記環状領域または前記文字盤支持体（１７）に当接するように、前記保持筒（１５）の外周の少なくとも一部に形成された溝（２２）内に配置される、ことを特徴とする、請求項２または３に記載の計時器。
【請求項６】
前記保持筒（１５）は、一方で、前記駆動モジュール（１０）に機械的に連結されるとともに内周にネジ部を有する第１の筒（１６ａ）と、他方で、前記第１の筒（１６ａ）の前記ネジ部に螺入されるネジの形態の第２の筒（１６ｂ）と、を含み、前記ネジ（１６ｂ）は、円形座面（２４ｂ）を形成するための径方向拡張部（２４）を有する、ことと、
前記保持部材は、好ましくはＯリング型のガスケット（２０ｃ）の形態のものであり、前記文字盤（１２）または前記文字盤支持体（１７）に軸方向の力を付与するように、前記ネジ（１６ｂ）の前記円形座面（２４ｂ）および前記文字盤（１２）の前記環状領域または前記文字盤支持体（１７）に当接して配置されること、を特徴とする、請求項２または３に記載の計時器。
【請求項７】
前記ネジは（１６ｂ）、前記文字盤（１２）の前記中央開口（１３）に埋め込まれることを特徴とする、請求項６に記載の計時器。
【請求項８】
前記ネジ（１６ｂ）は、前記文字盤に対して立ち上がった部分（３２）であって、前記文字盤（１２）の前記中央開口（１３）を覆うように径方向に延出した部分（３２）を有することを特徴とする、請求項６に記載の計時器。
【請求項９】
当該計時器は、前記文字盤支持体（１７）と前記駆動モジュール（１０）との間に配置されたムーブメント支持体（２６）および回路支持体（２８）をさらに備え、それぞれの前記支持体（１７，２６，２８）を積み重ねることによって、軸方向の衝撃が発生した場合に前記文字盤（１２）が変形するのを防ぐリジッド基材を形成している、請求項１〜８のいずれか一項に記載の計時器。
【請求項１０】
それぞれの前記支持体（１７，２６，２８）は、その内部に前記保持筒（１５）が少なくとも部分的に嵌合する凹部を形成するための中央開口を有することを特徴とする、請求項９に記載の計時器。
【請求項１１】
前記文字盤は、少なくとも１つの太陽電池セルを有するか、または少なくとも１つの太陽電池セルで構成されることを特徴とする、請求項１〜１０のいずれか一項に記載の計時器。
【発明の詳細な説明】
【技術分野】
【０００１】
本発明は、時計製作の分野に関し、より具体的には、従来のタイプまたは太陽電池を有するタイプの文字盤を取り付けるための装置を備えた計時器に関するものである。
【背景技術】
【０００２】
従来、計時器の文字盤は、下面側すなわちムーブメント側に、ムーブメントの地板に加工された孔に部分的に打ち込まれるように配置された金属脚を備える。これらの金属脚は、時計の組み立て時に、特に、時計のムーブメントに対して文字盤を所定位置に保持するために使用される。上記の方法によるムーブメントの地板への文字盤の取り付けは、比較的複雑な機械加工作業を伴うという欠点があり、金属脚の装着前の文字盤に正確に数回穿孔しなければならない。さらに、大きな衝撃が発生した場合に、文字盤の脚が破損する危険性がそれでもなおある。また、スケルトンタイプの時計でこのような文字盤を使用すると、美的外観があまりよくない。
【発明の概要】
【発明が解決しようとする課題】
【０００３】
そこで、本発明の目的は、上記の様々な欠点を克服することである。より具体的には、本発明の１つの目的は、実現が簡単であるとともに、特に指針の軸に沿った衝撃が発生した場合の機械的強度を確保しつつ、文字盤を所定位置に堅固に保持することが保証される文字盤取付装置を備えた、計時器を提案することである。
【課題を解決するための手段】
【０００４】
この目的のため、本発明は、駆動モジュールと、中央開口を有する文字盤と、文字盤の中央開口に貫通するとともに駆動モジュールによって回転駆動される時筒と、文字盤取付装置と、を備えた計時器を提案する。取付装置は、
−  時筒の周りに配置されるとともに駆動モジュールに機械的に連結／統合された保持筒と、
−  保持筒と、文字盤および／または文字盤が取り付けられた文字盤支持体と、の間に配置された保持部材と、を有する。
【０００５】
一実施形態によれば、保持部材は、文字盤の中央開口に隣接した文字盤部分および／または文字盤支持体に対して当接しつつ、保持筒と、文字盤および／または文字盤支持体と、の間に配置／配備／位置付けされる。好ましくは、保持部材は、文字盤の中央開口に対して同心状に隣接する文字盤の環状領域もしくは文字盤支持体の環状領域のいずれかに、当接するように、または分散させた軸方向応力を付与するように、構成される。
【０００６】
一実施形態によれば、文字盤の中央開口に隣接した文字盤部分は、好ましくは文字盤の表面に対してセットバックした環状領域を画成しており、これにより、保持筒の上部の表面は、文字盤と同じ高さになる。
【０００７】
一実施形態によれば、保持筒は、第１の直径を有する第１の円筒部と、第１の直径よりも小さい第２の直径を有する第２の円筒部と、を含む。保持部材は、第２の円筒部の周囲に配置されたワッシャであり、文字盤または文字盤支持体に軸方向の力を付与するように、文字盤の環状領域または文字盤支持体に対して当接している。
【０００８】
一実施形態によれば、保持部材は、好ましくはサークリップ型の弾性リングであり、弾性リングは、文字盤の環状領域または文字盤支持体に当接するように、保持筒の外周の少なくとも一部に形成された溝内に配置される。
【０００９】
一実施形態によれば、保持筒は、一方で、駆動モジュールに機械的に連結されるとともに内周にネジ部を有する第１の筒と、他方で、第１の筒のネジ部に螺入されるネジの形態の第２の筒と、を含む。ネジは、円形座面を形成するための径方向拡張部を有する。保持部材は、好ましくはＯリング型のガスケットの形態のものであり、文字盤または文字盤支持体に軸方向の力を付与するように、ネジの円形座面および文字盤の環状領域または文字盤支持体に当接して配置される。
【００１０】
一実施形態によれば、ネジは、文字盤の中央開口に埋め込まれる。
【００１１】
一実施形態によれば、ネジは、文字盤に対して立ち上がった部分であって、文字盤の中央開口を覆うように径方向に延出した部分を有する。
【００１２】
一実施形態によれば、計時器は、文字盤支持体と駆動モジュールとの間に配置されたムーブメント支持体および回路支持体をさらに備える。それぞれの支持体を積み重ねることによって、軸方向の衝撃が発生した場合に文字盤が変形するのを防ぐリジッド基材を形成している。
【００１３】
一実施形態によれば、それぞれの支持体は、その内部に保持筒が少なくとも部分的に嵌合する凹部を形成するための中央開口を有する。
【００１４】
一実施形態によれば、文字盤は、少なくとも１つの太陽電池セルを有するか、または少なくとも１つの太陽電池セルで構成される。
【００１５】
本発明の他の特徴および効果は、単なる非限定的な例として、添付の図面を参照して提示されるいくつかの実施形態を読解することで、明らかになるであろう。
【図面の簡単な説明】
【００１６】
【図１】図１は、本発明の第１の実施形態による文字盤取付装置を示す、計時器の部分断面図を示している。
【図２】図２は、本発明の第２の実施形態による文字盤取付装置を示す、計時器の部分断面図を示している。
【図３】図３は、本発明の第３の実施形態による文字盤取付装置を示す、計時器の部分断面図を示している。
【図４】図４は、本発明の第４の実施形態による文字盤取付装置を示す、計時器の部分断面図を示している。
【発明を実施するための形態】
【００１７】
一般的に、以下で説明する本発明による文字盤取付装置は、様々な実施形態により、従来の／典型的なタイプの文字盤を備えた、すなわち、例えば、文字盤の周囲に一定間隔で分布するインデックスと、例えば文字盤に取り付けられたアップリケの形態で時間を表す数字と、キャリバに応じて例えば日付または他の情報を示す１つ以上の窓と、を有する文字盤を備えた、機械式またはクォーツ式の時計において実現することができる。また、本発明による文字盤取付装置は、非従来型の文字盤を備えた時計において実現することもできる。例えば、本発明による取付装置は、例えばバッテリおよび／またはいわゆるスマートウォッチの電子モジュールに電力を供給するための太陽電池セルを有する文字盤、または太陽電池セルで構成された文字盤を取り付けるのに、特によく適している。
【００１８】
図１〜４に示す様々な実施形態において、文字盤１２を取り付けるための装置は、時筒１４ｂの周りに配置された保持筒１５を有し、例えば径方向拡張部１８による引っ掛けによって駆動モジュール１０に機械的に連結されている。加えて、この取付装置は、保持部材２０ａ〜２０ｃをさらに有する。この保持部材２０ａ〜２０ｃは、好ましくはインサートである。このような保持部材２０ａ〜２０ｃは、保持筒１５の第２の円筒部１５ｂと時計の文字盤１２または文字盤支持体１７との間に配置されるための、好ましくは可撓性かつ／または変形可能な部品である。より具体的には、この第２の円筒部１５ｂの作用によって、この保持部材２０ａ〜２０ｃは、この文字盤１２の中央開口１３に隣接した文字盤部分および／または文字盤支持体１７に対して当接することが可能である。
【００１９】
本発明の第１の実施形態を示す図１を参照して、計時器は、特に、駆動モジュール１０と、中央開口１３が設けられた文字盤１２と、文字盤１２の中央開口１３に貫通するとともに駆動モジュール１０によって回転駆動される筒カナ１４ａおよび時筒１４ｂと、を備える。文字盤１２は、例えば両面接着材３０ａを用いて、文字盤支持体１７に取り付けられている。文字盤支持体１７の形状は、文字盤１２の形状と略同じである。文字盤支持体１７は、例えば両面接着材３０ｂを用いて好ましくはプリント回路支持体２８である回路支持体に取り付けられたムーブメント支持体２６上に、搭載されている。様々な支持体１７、２６、２８を積み重ねることによって、文字盤１２が載置されるリジッド基材を形成しており、これは、軸方向の衝撃が発生した場合に文字盤１２が変形するのを防ぐという利点がある。
【００２０】
このリジッド基材は、特に太陽電池セルによって形成された文字盤１２において、大きな軸方向の衝撃が発生した場合にセルのガラス基板が破損する可能性を回避するのに、特によく適している。
【００２１】
計時器は、文字盤１２を取り付けるための装置を備え、これは、保持部材２０ａと、時筒１４ｂの周りに配置されるとともに駆動モジュール１０に機械的に連結された保持筒１５と、を有する。保持筒１５は、第１の直径Ｄ１を有する第１の円筒部１５ａと、第１の直径Ｄ１よりも小さい第２の直径Ｄ２を有する第２の円筒部１５ｂと、を含む。第１の円筒部１５ａは、文字盤支持体１７、ムーブメント支持体２６、およびプリント回路支持体２８の中央開口の積み重ねによって形成される筒状部に収容される。この保持部材２０ａは、保持ワッシャ２０ａを含み、第２の円筒部１５ｂの周囲に配置される。この保持ワッシャ２０ａは、その周囲が文字盤支持体１７に当接するように、径方向に延出しており、これにより、文字盤支持体１７に軸方向の力を付与する。第１の円筒部１５ａの一端は、駆動モジュール１０のブリッジ１０ａに取り付けまたは機械的に連結された、例えば環状形状の径方向拡張部１８を有する。
【００２２】
本発明の第２の実施形態を示す図２を参照して、保持部材２０ｂは、弾性リング２０ｂを含む。この弾性リング２０ｂは、保持筒１５の外周に形成された溝２２内に配置されて、これにより、弾性リング２０ｂは文字盤支持体１７に当接する。弾性リングは、この取付装置の取り外しを容易とするために、例えばサークリップ型のものとすることができる。第１の実施形態と同様に、太陽電池セルを有する文字盤１２または太陽電池セルで構成された文字盤１２に適したリジッド基材を形成するために様々な支持体１７、２６、２８を積み重ねることによって形成される筒状部に、保持筒１５は収容される。保持筒１５の一端は、駆動モジュール１０のブリッジ１０ａに取り付けられた、例えば環状形状の径方向拡張部１８を有する。
【００２３】
本発明の第３の実施形態を示す図３によれば、保持筒１５は、第１の筒１６ａを含み、これは、一方で、駆動モジュール１０のブリッジ１０ａに取り付けられる径方向拡張部を有し、他方で、その内周にネジ部を有する。第１の筒１６ａは、リジッド基材を形成するように様々な支持体１７、２６、２８を積み重ねることによって形成される筒状部に、収容される。保持筒１５は、第１の筒１６ａのネジ部に螺入されるネジの形態の第２の筒１６ｂをさらに含む。ネジ１６ｂは、一端に、円形座面２４ａを形成するための径方向拡張部２４を有する。この取付装置では、保持部材２０ｃは、例えばＯリング型のガスケット２０ｃを含む。このガスケット２０ｃは、文字盤支持体１７に軸方向の力を付与するように、ネジ１６ｂの円形座面２４ａおよび文字盤支持体１７に当接して配置される。ネジ１６ｂは、文字盤１２の中央開口１３に埋め込まれる。従来の文字盤を取り付けるためには、径方向拡張部２４の直径は、有利な美的外観を得るために、文字盤の中央開口１３の直径と略同じであることが好ましい。
【００２４】
変形例では、取付装置の保持部材２０ｃは、ネジ１６ｂの円形座面２４ａおよび文字盤支持体１７に当接して配置されるガスケット２０ｃを含む。これらの条件下では、ネジ１６ｂの端に規定される円形座面２４ａを形成する径方向拡張部２４は、従って、保持部材２０ｃを介して、文字盤支持体１７に軸方向の力を直接付与することが可能である。
【００２５】
本発明の第４の実施形態を示す図４によれば、文字盤取付装置は、第３の実施形態と同様の構成の保持筒を有し、違いは、ネジ１６ｂが、文字盤１２に対して立ち上がった部分３２を有することであり、この部分は、文字盤１２の中央開口１３を覆うように径方向に延出している。この実施形態は、立ち上がり部分３２が太陽電池セルの切断不良を隠すという利点があるので、太陽電池セルを有する文字盤または太陽電池セルで構成された文字盤に、特に適している。
【００２６】
図１による保持ワッシャ２０ａ、図２によるサークリップ２０ｂ、図３および４による第１の筒１６ａのネジ部に螺入されるネジの形態の第２の筒１６ｂは、いずれも、大きな軸方向の衝撃が発生したときに指針が外れることを防ぐという利点がある。
【００２７】
当然のことながら、本発明は、図面を参照して説明した実施形態に限定されるものではなく、本発明の範囲から逸脱することなく、変形例を実施することができる。例えば、上記の実施形態のいずれかによる保持筒１５は、文字盤支持体１７にではなく文字盤１２自体に直接、さらには文字盤支持体１７と文字盤１２の両方に直接、当接または軸方向応力を付与するように適合させることができる。この目的のため、文字盤１２は、例えば、文字盤の中央開口１３に隣接した文字盤部分を有することができ、この部分に対して、上述の実施形態から選択された実施形態に応じて保持ワッシャ２０ａ、サークリップ２０ｂ、またはガスケット２０ｃのような保持部材が当接する。中央開口１３に隣接した文字盤部分は、文字盤の表面のより大部分に対してセットバックした環状領域を画成することができ、これにより、保持筒の上部の表面は、文字盤と同じ高さになる。
【００２８】
本発明による取付装置は、脚を有する文字盤の製造には適合しない様々な材料で文字盤を形成することが可能になるという利点がある。これらの文字盤は、特に、プラスチック、金属、またはガラスの射出成形法によって得ることができる。
【図１】
2021507267.tif 000003
【図２】
2021507267.tif 000004
【図３】
2021507267.tif 000005
【図４】
2021507267.tif 000006
【国際調査報告】
2021507267.tif 000007
2021507267.tif 000008
2021507267.tif 000009
2021507267.tif 000010